(57)【要約】【課題】スムーズな回転が可能な縦風向板を備えた風向変更装置の提供を目的とする。【解決手段】空気を吹出す吹出口２において、縦軸３まわりに回転自在で板面方向を縦方向とする複数の縦風向板４が互いに間隔をおいて横方向Ａにルーバー状に配列された風向変更装置１において、縦風向板４は、吹出口２を構成する口壁１７に形成された軸穴８に回転自在に軸支される軸部７と、該軸部７に立設される羽根部５とを備え、口壁１７の裏面側において軸部７に係合し、軸部７を軸穴８に回転自在に係止する係止部材１１が設けられ、該係止部材１１から回転軸３の半径方向外方に突出するアーム部１４が設けられ、各係止部材１１のアーム部１４を回転自在に連結する連動杆１８が設けられたことを特徴とする。【選択図】        図２
2008070051.tif 000002
【特許請求の範囲】
【請求項１】
空気を吹出す吹出口において、縦軸まわりに回転自在で板面方向を縦方向とする複数の縦風向板が互いに間隔をおいて横方向にルーバー状に配列された風向変更装置において、前記縦風向板は、吹出口を構成する口壁に形成された軸穴に回転自在に軸支される軸部と、該軸部に立設される羽根部とを備え、口壁の裏面側において前記軸部に係合し、軸部を軸穴に回転自在に係止する係止部材が設けられ、該係止部材から回転軸の半径方向外方に突出するアーム部が設けられ、各係止部材のアーム部を回転自在に連結する連動杆が設けられたことを特徴とする風向変更装置。
【請求項２】
前記軸部は、下端面に開口が形成された、軸穴に挿入される筒状部と、筒状部の下端面から下方に垂設される複数の係止爪とを備え、前記係止部材は、筒状部の開口に挿入可能な筒状本体と、筒状本体の下端部に形成されるフランジ部と、フランジ部に連設される前記アーム部とを備え、フランジ部に係合爪を挿入して係合する係合穴が形成されたことを特徴とする請求項１記載の風向変更装置。
【請求項３】
前記フランジ部の厚みが、連動杆を駆動源に接続する場合と、連動杆を手動で操作する場合とで異なるように設定されたことを特徴とする請求項２記載の風向変更装置。
【請求項４】
請求項１〜３記載の風向変更装置を備えた空気調節装置。
【発明の詳細な説明】
【技術分野】
【０００１】
本発明は、空気の吹出口に設けられた複数の縦風向板を備える風向変更装置及びこれを備えた空気調節装置に関するものである。
【背景技術】
【０００２】
従来、空気調和機の室内ユニット等の空気吹出口には風向を左右横方向に変更するための風向変更装置が設置されている。この風向変更装置は、空気の吹出口の縦軸まわりに回転自在とされた複数の縦風向板を備えている。
【０００３】
縦風向板２４は、図５に示すように、板面を縦方向とする平板状の羽根部２５と、該羽根部２５の後端部に形成されたフランジ２６付きの軸部２７と、羽根部２５の前後方向で中間位置において羽根部２５の下端部から下方に突出する連結ピン４０とが一体的に形成されてなる。
【０００４】
軸部２７の先端には係止爪３０が形成されており、この軸部２７を吹出口を構成する口壁３７に穿設された軸穴２８に挿入することにより、係止爪３０が軸穴２８の端縁に引っ掛かり、軸穴２８に縦風向板２４が縦軸２３周りに回転自在に係止される。連結ピン４０は、図６に示すように、連動杆３８に形成された連結穴３６に挿入される。これにより、各縦風向板２４は、連動杆３８によって連動して回転可能となる。上記構成の縦風向板を備えた風向変更装置としては、例えば、特許文献１に記載されたものが知られている。
【特許文献１】特開２００３−２４０３２６号公報
【発明の開示】
【発明が解決しようとする課題】
【０００５】
上記風向変更装置においては、吹出口の口壁は樹脂成形により形成されるが、成形により軸穴の長さにバラツキが生じることがあった。ところが、風向板は、上述の通り軸部と羽根部とは一体成形されるため、軸部の長さを調節することができず、軸部を軸穴に挿入したときに両者の長さの相違から縦風向板の回転時にグラツキを生じ、スムーズな回転を阻害するおそれがあった。
【０００６】
軸部と軸穴の間に隙間が生じた場合は、スペーサーを用いて縦風向板のスムーズな回転を確保することも可能である。しかし、この場合はスペーサーの挿入作業が必要となり、作業が煩雑になるといった問題が生じていた。
【０００７】
また、アーム部及び連動杆は、口壁の表面側に露出しているため、連結ピンや連結穴の周辺にも汚れが付着しやすく、その汚れによって縦風向板のスムーズな回転が阻害されるおそれもあった。
【０００８】
本発明は、上記課題を解決するためになされたものであり、スムーズな回転が可能となる縦風向板を備えた風向変更装置及びこの風向変更装置を備えた空気調節装置の提供を目的とする。
【課題を解決するための手段】
【０００９】
上記問題点を解決するため、本発明では、空気を吹出す吹出口において、縦軸まわりに回転自在で板面方向を縦方向とする複数の縦風向板が互いに間隔をおいて横方向にルーバー状に配列された風向変更装置において、前記縦風向板は、吹出口を構成する口壁に形成された軸穴に回転自在に軸支される軸部と、口壁の表面側において前記軸部に立設される羽根部とを備え、口壁の裏面側において前記軸部に係合し、軸部を軸穴に回転自在に係止する係止部材が設けられ、該係止部材から回転軸の半径方向外方に突出するアーム部が設けられ、各係止部材のアーム部を回転自在に連結する連動杆が設けられたことを特徴とする。
【００１０】
上記構成によれば、縦風向板は係止部材という別部材によって軸穴に係止されるため、係止部材のサイズを変更することにより、軸部の長さを調節することが可能となり、これにより縦風向板の回転時にグラツキが生じるのを防止することができ、縦風向板のスムーズな回転を確保することが可能となる。
【００１１】
さらに、アーム部が形成される係止部材は口壁の裏面側において軸部に係合するため、アーム部及び連動杆は口壁の表面側、すなわち、通風路内に露出することがなく、これにより、連結ピンや連結穴の周辺に汚れが付着するのを極力抑制して縦風向板のスムーズな回転を確保することが可能となる。
【００１２】
軸部及び係止部材の具体的な構成としては、軸部が、下端面に開口が形成された、軸穴に挿入される筒状部と、筒状部の下端面から下方に垂設される複数の係止爪とを備え、係止部材が、筒状部下端面の開口に挿入可能な筒状本体と、筒状本体の下端部に形成されるフランジ部と、フランジ部に連設される前記アーム部とを備え、フランジ部に係合爪を挿入して係合する係合穴が形成された構成とすることができる。
【００１３】
上記構成によれば、筒状本体から回転軸の半径方向外方に突設されるフランジ部が、軸穴を形成する口壁の下端面に当接して縦風向板が軸穴から抜け落ちるのを防止するストッパーとしての機能を発揮するため、フランジ部の厚みを調節することにより、縦風向板のグラツキを抑制することができる。
【００１４】
また、フランジ部の厚みは、連動杆を駆動源に接続する場合と、連動杆を手動で操作する場合とで異なるように設定することができる。すなわち、フランジ部の厚みを厚くすれば、フランジ部と軸穴を形成する口壁の下端面との摩擦力が大きくなり、回転トルクを調整することが可能となる。具体的には、連動杆を駆動源に接続する場合は、フランジ部の厚みを薄くして比較的小さなトルクで縦風向板が回転するようにする。連動杆を手動で操作する場合は、フランジ部の厚みを厚くすることで縦風向板の回転トルクを大きくして縦風向板が振動などにより比較的容易に回転するのを規制すればよい。
【００１５】
本発明の風向変更装置は、各種の空気調節装置、例えば、空気調和機、空気清浄機、除湿機、加湿器、電気ヒータ、石油ストーブ、ガスヒータ及び冷蔵庫等に搭載することができる。
【発明の効果】
【００１６】
以上のように、本発明によれば、口壁の裏面側において縦風向板の軸部に係合し、該軸部を軸穴に回転自在に係止する係止部材を設け、該係止部材から回転軸の半径方向外方に突出するアーム部を形成し、各係止部材のアーム部を回転自在に連結する連動杆を設けたため、縦風向板のグラツキを防止するとともに、係止部材及び連動杆を口壁の裏面側に配したため、汚れが付きにくく、縦風向板のスムーズな回転を確保することができる。
【発明を実施するための最良の形態】
【００１７】
以下、本発明の実施形態を図面に基づいて説明する。図１は本発明の実施形態である空気調和機の室内ユニットの吹出口に配置される風向変更装置を示す斜視図であり、図２は縦風向板と、係止部材と、連動杆とを分解した状態を示す断面図、図３は、連動杆の一部を示す側面図、図４は、縦風向板と係止部材と連動杆とを組立てた状態を示す断面図である。
【００１８】
図に示すように、本発明に係る風向変更装置１は、通風路とその出口である吹出口とを備えた空気調節装置等に設置される。具体的には、空気を吹出す吹出口２近傍の通風路において、吹出口２の横方向Ａに直交する回転軸（縦軸）３周りに回転自在でかつ板面方向を縦方向とする複数の縦風向板４が互いに間隔をおいて横方向Ａにルーバー状に配列されている。また、図示しないが、縦風向板４よりも前方には、通常、横風向板が配され、縦方向に風向を制御できるようになっている。
【００１９】
各縦風向板４は、図２に示すように、板面方向を縦方向とする羽根部５と、該羽根部５の後端部に形成されたフランジ６付きの軸部７とを備え、軸部７は、下端面に開口が形成された、軸穴８に挿入される筒状部９と、筒状部９の下端面から下方に垂設される複数の係止爪１０とから構成されている。
【００２０】
係止部材１１は、図２に示すように、筒状部９の開口に挿入可能な筒状本体１２と、筒状本体１２の下端部に形成されるフランジ部１３と、フランジ部１３に連設されるアーム部１４とを備え、フランジ部１３に係合爪１０を挿入して係合する係合穴１５が形成されている。
【００２１】
縦風向板４は、吹出口２の口壁１７に形成された軸穴８に軸部７を挿入し、口壁１７の裏面側において、係止部材１１の筒状本体１２を軸部７の筒状部９に挿入しつつ、係止爪１０を結合穴１５に挿入して係止させることで軸穴８に対して回転自在に係止される。このようにして複数の縦風向板４が、吹出口２の横方向Ａにルーバー状に配列される。
【００２２】
風向変更装置１は、複数の縦風向板４を連動して回転させる連動杆１８を備えている。本実施形態では、図１に示すように、吹出口２の右半分と左半分とでそれぞれ縦風向板４を連動連結するように左右一対の連動杆１８が配置されている。
【００２３】
そして、連動杆１８には、図３に示すように、その杆方向に間隔をおいて複数の頭部１９付き連結ピン２０が形成されている。アーム部１４の先端部には、連結穴１６が形成されており、この連結穴１６に連結ピン２０が挿入されて連結ピン２０が連動杆１８に回転自在に連結されている。
【００２４】
以上説明したアーム部１４及び連動杆１８ともに口壁１７の裏面側に配置されるため、吹出口２から吹出す空気に触れるおそれがなく、極力汚れが付着するのを抑制することができる。
【００２５】
図４に示すように、縦風向板４が、口壁１７に装着された状態で、スムーズに回転するには、軸穴８を構成する口壁１７の下端面とフランジ部１３との間の隙間を小さくし、これによりガタツキが生じないようにすることが必要とされる。すなわち、軸穴８の長さＬ１と、軸部７の筒状部９の長さＬ２とがほぼ等しくなるのが好ましい。
【００２６】
ただ、設計時にＬ１とＬ２とを同じ長さａにしたとしても、実際に大寸法の口壁１７を製造すると、軸穴８の長さＬ１の出来上がり寸法にバラツキが生じる。そこで、本実施形態においては、軸穴８の長さＬ１の出来上がり寸法のバラツキの下限がａになるように設定し、Ｌ１の出来上がり寸法がａよりも大きくなったときには、係止部材１１としてフランジ部１３の厚みを薄くした薄型タイプを予め用意しておき、この薄型タイプの係止部材１１を用いればよい。
【００２７】
これによって、口壁１７の下端面とフランジ部１３との間の隙間を小さくしつつ、係止部材１１を無理なく軸部７に係合させることができる。なお、薄型タイプの係止部材１１としては、フランジ部１３の厚みが異なる複数種を用意しておき、実際の軸穴８の長さＬ１に応じて組み合わせるようにすればよい。
【００２８】
また、フランジ部の厚みが異なる係止部材１１の使用は、縦風向板４の回転時のガタツキを抑制するのみならず、縦風向板４の回転トルクの調整に使用することが可能となる。例えば、縦風向板４の風向を手動操作する場合、縦風向板４が振動などにより比較的容易に回転するのを規制するため、フランジ部の厚みがやや厚いものを使用して口壁１７の下端面とフランジ部１３との間に摩擦力が働くようにし、これにより縦風向板４の回転トルクを大きくすることができる。
【００２９】
また、連動杆１８をモータ等の駆動源に接続して動作させる場合には、モータの負荷にならないようにするため、比較的小さなトルクで縦風向板４が回転するように係止部材１１のフランジ部１３の厚みがやや薄いものを使用すればよい。なお、縦風向板４を手動で動かす機種と自動で動かす機種がある場合には、係止部材１１を異ならせるだけでその他の縦風向板４や口壁１７や連動杆１８を共通に使用することができるので、部品の種類が減り、量産における部品の管理が容易になり、さらには金型費用の節約となるなどの効果が期待できる。
【００３０】
また、本実施形態では、係止部材１１を縦風向板４と別部材としており、これらを一体化させることも考えられるが、その場合には縦風向板４を口壁１７に形成された軸穴８に挿入することが難しく、軸穴８を広げるなどすれば可能であるが、フランジ６から軸穴８がはみ出してしまうおそれがあり、外観上見苦しくなるとともに不要な空気漏れにも繋がる。
【００３１】
本願発明の構成であれば、このような問題を生じることはなく、かつ連動杆１８が外部に露出することもないので、見た目にもすっきりとさせることができる。さらに、従来、通風路上に設けられていた連動杆１８が口壁１７の内部に納まり、且つその分、縦風向板４の面積を大きく形成できるので、風路特性も向上させることができる。
【００３２】
なお、本実施形態では、空気調和機の室内ユニットの吹出口にある風向変更装置に本発明を適用したが、これに限らず、加湿機、除湿機、空気清浄機、暖房機等の他の空気調節装置の吹出口に本発明を適用してもよいことは勿論である。
【図面の簡単な説明】
【００３３】
【図１】本発明の実施形態である風向変更装置を示す斜視図
【図２】縦風向板と、係止部材と、連動杆とを分解した状態を示す断面図
【図３】連動杆の一部を示す側面図
【図４】縦風向板と係止部材と連動杆とを組立てた状態を示す断面図
【図５】従来の縦風向板を示す側面図
【図６】図５における連動杆の一部を示す平面図
【符号の説明】
【００３４】
１                風向変更装置
２                吹出口
３                縦軸
４                縦風向板
５                羽根部
６                フランジ
７                軸部
８                軸穴
９                筒状部
１０                係止爪
１１                係止部材
１２                筒状本体
１３                フランジ部
１４                アーム部
１５                結合穴
１６                連結穴
１７                口壁
１８                連動杆
１９                頭部
２０                連結ピン
【図１】
2008070051.tif 000003
【図２】
2008070051.tif 000004
【図３】
2008070051.tif 000005
【図４】
2008070051.tif 000006
【図５】
2008070051.tif 000007
【図６】
2008070051.tif 000008